(57)【要約】【課題】タバコ等の携帯品を捨てる行為がマナー違反である旨の注意を喚起可能にする。【解決手段】タバコ１には、ＩＣタグ３が設けられている。ＩＣタグ３は、加速度を検出する加速度センサー３６と、少なくとも携帯者１０に報知可能な音等の報知信号を出力するスピーカ３４と、加速度センサー３６で検出された加速度が所定値以上であるか否かを判定し、加速度が所定値以上の場合、スピーカ３４から報知信号を出力させる制御部３１とを有する。【選択図】図１
2009187437.tif 000002
【特許請求の範囲】
【請求項１】
加速度を検出する加速度検出手段と、
少なくとも携帯者に報知可能な報知信号を出力する信号出力手段と、
前記加速度検出手段で検出された加速度が所定値以上であるか否かを判定し、前記加速度が所定値以上の場合、前記信号出力手段から前記報知信号を出力させる制御手段と
を有することを特徴とする携帯品。
【請求項２】
前記携帯品は、フィルター付きのタバコであり、
前記信号出力手段は、前記報知信号として音声を出力し、
前記加速度検出手段、信号出力手段、および制御手段は、前記フィルター部分に設けられていることを特徴とする請求項１に記載の携帯品。
【請求項３】
前記信号出力手段は、前記報知信号の一種として電波を出力可能であることを特徴とする請求項１又は２に記載の携帯品。
【請求項４】
請求項３に記載の携帯品から出力された電波の報知信号を受信する受信部と、
前記受信部で受信された報知信号の出力位置を特定する制御部と
を備えることを特徴とするサーバ。
【請求項５】
前記サーバは、
所定の監視領域に存在する複数の携帯電話の位置情報と連絡先情報とを記憶した記憶部と、
前記携帯電話に対して少なくとも注意情報を送信する送信部と、
前記報知信号の出力位置と前記携帯電話の位置情報とに基づいて、連絡先となる前記携帯電話を選択し、該携帯電話に対して前記連絡先情報に基づいて前記注意情報を送信する送信制御部と
を備えることを特徴とする請求項４に記載のサーバ。  
【発明の詳細な説明】
【技術分野】
【０００１】
本発明は、地面や床に落とした旨を報知する携帯品およびサーバに関する。
【背景技術】
【０００２】
従来より、タバコの投げ捨ては、街の美化や火災の危険性等を考えると、非常に問題となっている。そこで、例えば特許文献１には、ライターのカバー体に灰皿を付けた灰皿付きライターが記載されている。また、特許文献２には、車や電車から投げ捨てされるタバコに対して、山の斜面に雨水等が流入可能な支持部材を設けることが記載されている。
【０００３】
【特許文献１】特開２００４−１３５６４７号公報
【特許文献２】特願平８−１０３５１２号公報
【発明の開示】
【発明が解決しようとする課題】
【０００４】
しかしながら、灰皿付きライターの場合には、このような灰皿を購入する面倒や金銭的な負担増から、あまり普及されていない。また、山の斜面に雨水等が流入可能な支持部材を設ける構造物の場合には、設置場所に制限があるため、投げ捨て等が行われる可能性のある全ての箇所に設置することは常識的に困難であり、根本的な対策とは言えない。尚、タバコ以外においても、使用済みとなった携帯品を道路等に捨てる行為に対してマナー違反である旨の注意を喚起することが望まれいる。
【０００５】
本発明は、上述した課題に鑑みてなされたものであり、その目的は、タバコ等の携帯品を捨てる行為がマナー違反である旨の注意を喚起することができる携帯品およびサーバを提供することにある。
【課題を解決するための手段及び効果】
【０００６】
本発明の携帯品は、加速度を検出する加速度検出手段と、少なくとも携帯者に報知可能（直接報知、携帯電話等による間接報知の何れでもよい）な報知信号（音、光、電波等）を出力する信号出力手段と、前記加速度検出手段で検出された加速度が所定値以上であるか否かを判定し、前記加速度が所定値以上の場合、前記信号出力手段から前記報知信号を出力させる制御手段とを有する。
【０００７】
上記の構成によれば、携帯者が意識的や無意識的に携帯品を離して落下させると、携帯品が地面や床に衝突して停止する。従って、この場合の携帯品においては、急激な減速により大きな加速度、即ち、衝撃が発生することになる。携帯品の加速度は、加速度検出手段により検出され、制御手段において、加速度が所定値以上の衝撃であるか否かが判定される。所定値以上の加速度である場合には、信号出力手段から報知信号が出力されることによって、携帯品を携帯していた携帯者に報知されることになる。これにより、例えば、携帯品がタバコ等の使用後に不要となる携帯品の場合、使用後に携帯者が投げ捨てる等した行為に対してマナー違反である旨の注意を喚起することができる。また、例えば、携帯品が財布等の紛失しては困るものの場合には、携帯者に対して携帯品を落としたことを気付かせることができる。
【０００８】
また、本発明の携帯品は、フィルター付きのタバコであり、前記信号出力手段は、前記報知信号として音声を出力し、前記加速度検出手段、信号出力手段、および制御手段は、前記フィルター部分に設けられていてもよい。
【０００９】
上記の構成によれば、タバコを吸い終わった喫煙者がタバコを投げ捨てた場合、タバコから発せられる音声によりマナー違反である旨の注意を喚起することができる。
【００１０】
また、本発明の携帯品における前記信号出力手段は、前記報知信号の一種として電波を出力可能であってもよい。
【００１１】
上記の構成によれば、電波の報知信号が出力されることによって、音よりも広い範囲において設置された受信機により報知信号を受信させることが可能になる。これにより、受信機の設置場所を中心とした広い範囲にわたって、タバコ等の携帯物の意識的や無意識的な落下を監視することが可能になる。
【００１２】
また、本発明のサーバは、上記の携帯品から出力された電波の報知信号を受信する受信部と、前記受信部で受信された報知信号の出力位置を特定する制御部とを備えている。
【００１３】
上記の構成によれば、タバコ等の携帯物が意識的や無意識的に落下した位置を遠方に設置されたサーバにより特定して管理することが可能になることから、例えば、清掃員や警備員等の係員に対して清掃や注意等の指示を効率良く指令することが可能になる。
【００１４】
また、本発明における前記サーバは、所定の監視領域に存在する複数の携帯電話の位置情報と連絡先情報とを記憶した記憶部と、前記携帯電話に対して少なくとも注意情報を送信する送信部と、前記報知信号の出力位置と前記携帯電話の位置情報とに基づいて、連絡先となる前記携帯電話を選択し、該携帯電話に対して前記連絡先情報に基づいて前記注意情報を送信する送信制御部とを備えていてもよい。
【００１５】
上記の構成によれば、タバコ等の携帯物が意識的や無意識的に落下した位置を遠方に設置されたサーバにより特定して管理することが可能になることから、例えば、清掃員や警備員等の係員に対して清掃や注意等の指示を効率良く出すことが可能になる。
【発明を実施するための最良の形態】
【００１６】
本発明の実施の形態を図１ないし図８に基づいて以下に説明する。尚、本実施形態においては、携帯品としてタバコを用いて説明するが、これに限定されるものではなく、例えば、タバコの他、ライターやカメラ、カバン、メガネ、財布等のように、人間が携帯可能な全て種類の物品に適用することができる。
【００１７】
（落下監視システム）
本実施形態に係る携帯品は、図１に示すように、落下監視システムにおいて監視されている。落下監視システムは、所定値以上の加速度となる衝撃を受けたときに電波や音波、光等の報知信号を出力するタバコ１と、報知信号を受信して転送する１台以上の中継装置６と、中継装置６から転送された報知信号に基づいてタバコ１の取り扱いを決定するサーバ９と、中継装置６やサーバ９等の各種の機器をデータ通信可能に接続する通信網８とを有している。
【００１８】
さらに、落下監視システムは、中継装置６の周辺を撮影する監視カメラ７を有していると共に、警備員や清掃員等の係員５に携帯された携帯電話４を有している。尚、監視カメラ７および携帯電話４は、落下監視システムの規模や、要求される監視仕様に応じて組み合わせされるものである。
【００１９】
（中継装置６）
中継装置６は、報知信号や携帯電話４の送受信信号、その他の各種の信号を送受信可能なアンテナ部６ａと、アンテナ部６ａで受信された報知信号を電気的な信号に変換する変換部と、電気信号とされた報知信号を通信網８を介してサーバ９に送信する送信部とを有している。中継装置６は、例えば、繁華街や道路、工場等の所定の監視領域に分散配置されている。分散の程度は、中継装置６が報知信号を受信可能な受信領域が互いに重なることによって、監視領域内に受信不可能な領域を出現させないように設定されている。尚、監視領域が受信領域よりも狭い場合には、１台の中継装置６であってもよい。
【００２０】
また、中継装置６は、設置場所の住所等がアンテナ位置として設定されている。中継装置６は、アンテナ位置を報知信号の出力と同時にサーバ９に送信するようになっている。これにより、中継装置６は、サーバ９においてタバコ１が落下した位置をアンテナ位置に基づいて把握させることを可能にしている。さらに、中継装置６は、アンテナ位置を電波等の無線方式の信号により出力する。これにより、中継装置６は、タバコ１の現在位置となるタバコ位置データをアンテナ位置を用いて取得し、記憶させることを可能にしている。尚、中継装置６は、スピーカを備えることによって、報知信号を受信したときに、注意を喚起する音声を出力するように構成されていてもよい。
【００２１】
（監視カメラ７）
中継装置６の周辺には、１台以上の監視カメラ７が配置されている。監視カメラ７は、中継装置６のアンテナ位置と同様に、設置場所の住所等がカメラ位置として設定されている。各監視カメラ７のカメラ位置は、サーバ９に記憶されている。監視カメラ７は、撮影方向および撮影倍率を変更可能となるように構成されており、サーバ９により指定された特定の場所、即ち、通行人等の携帯者１０がタバコ１を投げ捨てた位置周辺を撮影可能にされている。これにより、タバコ１の状態やタバコ１を投げ捨てた携帯者１０を撮影してサーバ９に記憶させることを可能にしている。
【００２２】
（携帯電話４）
携帯電話４は、監視領域を歩行したり、監視領域内の詰め所に控えている警備員等の係員５に携帯されている。携帯電話４は、通話機能に加えて、現在位置を取得する機能と、現在位置を送信する機能と、メールを送受信する機能とを有している。携帯電話４は、現在位置を係員５の位置情報である係員位置としてサーバ９に記憶させるようになっている。この結果、サーバ９から携帯電話４に対してタバコ１の落下情報のメールが送信されると、メールを読んだ係員５は、タバコ１を投げ捨てた携帯者１０を容易に見つけ出して注意を促したり、タバコ１を即座に清掃することが可能になる。
【００２３】
〈サーバ９〉
上記の中継装置６や携帯電話４、監視カメラ７等の通信機能を有した各種機器は、中継装置６および通信網８を介してサーバ９とデータ通信可能にされている。サーバ９は、表示装置やキーボード等の入力装置、ハードディスク装置等の大容量記憶装置を有している。大容量記憶装置には、タバコ位置データや係員位置データ、電話番号データ、映像データ、カメラ位置データ、撮影日時データ等の各種の監視情報が記憶されている。
【００２４】
具体的には、サーバ９は、係員連絡先テーブルと映像テーブルとを有している。係員連絡先テーブルは、図４に示すように、係員位置欄と携帯メール番号欄とを有している。係員位置欄は、現時点で係員５が存在する位置を記憶している。即ち、複数の係員５が存在する場合には、各係員５が携帯する携帯電話４から送信された現在位置を「住所Ａ（１）」や「住所Ａ（２）」等の係員位置として定期的に更新可能に記憶する。また、携帯メール番号欄は、各係員５が携帯する携帯電話４の電話番号が記憶されている。これにより、係員連絡先テーブルは、タバコ１の捨てられた位置に最も近い場所に存在する係員５を特定し、この係員５の携帯電話４にメールすることを可能にしている。
【００２５】
また、映像テーブルは、図５に示すように、タバコ位置欄とカメラ位置欄と撮影日時欄と映像データ欄とを有している。タバコ位置欄は、タバコ１から送信されたタバコ位置データを「住所Ｂ（１）」や「住所Ｂ（２）」等のように記憶する。タバコ位置データは、タバコ１が投げ捨てられる等して所定以上の衝撃を受けたときに送信される位置データであり、タバコ１が放置された位置を特定可能にしている。カメラ位置欄は、タバコ位置に最も近い場所であってタバコ１を撮影可能な場所に設置された監視カメラ７のカメラ位置を「住所Ｃ（１）」や「住所Ｃ（２）」等のように記憶している。撮影日時欄は、監視カメラ７で撮影された撮影日時データを記憶している。映像データ欄は、監視カメラ７から送信された映像データを記憶している。これにより、映像テーブルは、タバコ１が投げ捨てられたときに、このタバコ１と携帯者１０を撮影した映像データを撮影の日時と共に所定時間にわたって記憶することによって、タバコ１を捨てた携帯者１０を後に確認することを可能にしている。
【００２６】
このようにサーバ９は、図１に示すように、各種の監視情報を記憶することによって、監視情報に基づいてタバコ１の落下位置（放棄位置）に最も近い位置の携帯電話４を特定する機能や、携帯電話４にメールで通報する機能、監視カメラ７に対してタバコ１および携帯者１０を撮影させる機能、撮影された撮像データを記憶する機能等の各種の監視機能を有している。
【００２７】
（タバコ）
以上のように構成された落下監視システムで監視されるタバコ１は、タバコの葉が詰められたタバコ本体１ａと、タバコ本体１ａに設けられ、煙をろ過するフィルター１ｂとを有している。フィルター１ｂには、ＩＣタグ３が設けられている。ＩＣタグ３は、図１および図２にも示すように、音声を出力する薄板上のスピーカ３４と、スピーカ３４を駆動する駆動部３５と、加速度を検出する加速度センサー３６と、ＩＣタグ３を制御する制御部３１と、アンテナ３２と、ＩＣタグ３の各部に電力を供給する電源３３とを有している。
【００２８】
制御部３１は、アンテナ３２に接続された変復調回路３８と、変復調回路３８に接続されたＣＰＵ３７と、ＣＰＵ３７に接続されたメモリ３９と、図示しない電源制御回路とを有している。電源制御回路は、アンテナ３２で受信した電波を電磁誘導により電力に変換し、この電力をＩＣタグ３の駆動電力の一部として使用するようになっている。変復調回路３８は、データ通信する際に、データを変調及び復調する機能を有している。即ち、変復調回路３８は、制御部３１に入力されるデータを復調する一方、制御部３１から出力されたデータを変調するようになっている。そして、変復調回路３８は、変調されたデータを電波によりアンテナ３２を用いて送受信するようになっている。
【００２９】
メモリ３９は、データ通信を可能にする通信プログラムや、タバコ１の投げ捨てを検出して各種の処理を実行する第１注意ルーチン、タバコ１の位置情報等のＩＣタグ情報等の各種のデータを書き換え可能に記憶している。第１注意ルーチンは、衝撃を検知する機能と、投げ捨てに対する注意音を音声により出力する機能と、投げ捨てされたタバコ位置をサーバ９等の外部機器に伝達する機能と、現在のタバコ位置を取得する機能とを有している。
【００３０】
上記のタバコ１は、図１に示すように、箱体２に収納されている。箱体２は、タバコ１に設けられたＩＣタグ３と略同一の回路構成の注意基板２０を有している。注意基板２０は、図３に示すように、箱体２の一面に面状に接合され、音声を出力する薄板上のスピーカ２４と、スピーカ２４に接続された制御回路部２０ａとを一つの基板上に一体的に有している。制御回路部２０ａは、スピーカ２４を駆動する駆動部２５と、箱体２の現在位置を取得する位置取得部２６と、制御回路部２０ａを制御する制御部２１と、アンテナ２２と、ＩＣタグ３の各部に電力を供給する電源２３とを有している。
【００３１】
制御部２１は、アンテナ２２に接続された変復調回路２８と、変復調回路２８に接続されたＣＰＵ２７と、ＣＰＵ２７に接続されたメモリ２９と、図示しない電源制御回路とを有している。電源制御回路は、アンテナ２２で受信した電波を電磁誘導により電力に変換し、この電力を制御回路部２０ａの駆動電力の一部として使用するようになっている。変復調回路２８は、データ通信する際に、データを変調及び復調する機能を有している。即ち、変復調回路２８は、制御部２１に入力されるデータを復調する一方、制御部２１から出力されたデータを変調するようになっている。そして、変復調回路２８は、変調されたデータを電波によりアンテナ２２を用いて送受信するようになっている。
【００３２】
メモリ２９は、データ通信を可能にする通信プログラムや、タバコ１の投げ捨てに対する注意処理を実行する第２注意ルーチン等の各種のプログラムを記憶していると共に、箱体２の位置情報等の各種のデータを書き換え可能に記憶している。第２注意ルーチンは、タバコ１の投げ捨てを検知する機能と、投げ捨て時に音声情報により注意を喚起する機能と、箱体２の現在位置を取得してタバコ１の現在位置にする機能とを有している。
【００３３】
（落下監視システム等の動作）
上記の構成において、落下監視システム等の動作を説明する。
携帯者１０がタバコ１を持ち歩いているときに、タバコ１のＩＣタグ３が図６の第１注意ルーチンを実行し、箱体２の注意基板２０が図７の第２注意ルーチンを実行し、サーバ９が図８の監視ルーチンを実行することによって、タバコ１の取り扱い状態が監視される。
【００３４】
（第１注意ルーチン）
タバコ１のＩＣタグ３においては、図７に示すように、先ず、図２の加速度センサー３６からの加速度信号が取り込まれる（Ａ１）。そして、加速度が所定値以上であるか否かが判定される（Ａ２）。加速度が所定値以上でない場合には（Ａ２，ＮＯ）、箱体２の注意基板２０から電波信号の形態で出力される現在位置信号が受信される（Ａ６）。そして、現在位置信号に含まれる現在位置データがタバコ位置データとして記憶される（Ａ７）。これにより、タバコ１が携帯者１０により携帯され、各所に移動された場合でも、タバコ位置データが適宜の間隔で更新されることによって、現実のタバコ１の位置に最も近似した位置が記憶されることになる。この後、本ルーチンが終了される。
【００３５】
一方、加速度が所定値以上である場合（Ａ２，ＹＥＳ）、即ち、タバコ１に対して所定以上の衝撃が付加された場合には、この衝撃の発生原因が携帯者１０によりタバコ１の投げ捨てや落下等の原因により衝撃が発生したと判断される。そして、『ピーピー』等の注意音がスピーカ３４から発生される（Ａ３）。これにより、タバコ１のＩＣタグ３は、注意音によりタバコ１を投げ捨てた行為や落とした行為を携帯者１０や係員５等の周囲の人物に対して気付かせることが可能になる。
【００３６】
この後、定期的に更新されながら記憶されたタバコ位置データが読み出され（Ａ４）、このタバコ位置データを含むタバコ位置信号が形成される。そして、タバコ位置信号が変復調回路３８により変調された後、アンテナ３２から電波の信号形態で外部に発信される（Ａ５）。タバコ位置信号は、後述のサーバ９において受信され、投げ捨てられたり落下したタバコ１の監視に使用される。そして、本ルーチンが終了される。
【００３７】
（第２注意ルーチン）
また、タバコ１を収容した箱体２においては、図３の注意基板２０において図８の第２注意ルーチンが実行されている。即ち、タバコ１のＩＣタグ３からのタバコ位置信号を受信したか否かが判定される（Ｂ１）。タバコ位置信号を受信しない場合には（Ｂ１，ＮＯ）、位置取得部２６から定期的に出力される現在位置データが取得され（Ｂ５）、変調された後、電波の信号形態でアンテナ２２から外部に出力される（Ｂ６）。これにより、タバコ１のＩＣタグ３に対して最新のタバコ位置データを更新させることが可能になる。そして、本ルーチンが終了される。
【００３８】
一方、タバコ位置信号を受信した場合には（Ｂ１，ＹＥＳ）、注意音声が出力される（Ｂ２）。即ち、『ポイ捨てはダメ！』等のタバコ１の投げ捨てや落下を注意する具体的な内容の音声信号が出力される（Ｂ２）。そして、所定時間が待機された後（Ｂ３）、注意音声を停止させる（Ｂ４）。これにより、数秒の注意音声が繰り返されることによって、タバコ１を投げ捨てたり落下させた携帯者１０に対して、投げ捨てた行為や落下を高い信頼性で気付かせることが可能になる。そして、本ルーチンが終了される。
【００３９】
（監視ルーチン）
サーバ９においては、図８の監視ルーチンを実行している。即ち、タバコ位置信号を受信したか否かを判定し（Ｃ１）、受信しない場合には（Ｃ１，ＮＯ）、携帯電話４から発信される信号を受信した中継装置６の位置情報に基づいて係員位置が取得され（Ｃ７）、図４の係員連絡先テーブルの係員位置欄における対応する係員位置データが更新される（Ｃ８）。これにより、係員５が存在する最新の位置が中継装置６の位置に基づいて更新される。そして、本ルーチンが終了される。
【００４０】
一方、タバコ位置信号を受信した場合には（Ｃ１，ＹＥＳ）、タバコ位置に最短の係員位置が検索される（Ｃ２）。そして、最短の係員５が所持する携帯電話４のメール番号が読み出され、このメール番号の携帯電話４に対してタバコ１の投げ捨て行為や落下を知らせるメールが送信される（Ｃ３）。これにより、係員５が携帯者１０に対して注意したり、タバコ１を回収することができる。
【００４１】
次に、図５の映像テーブルが参照され、タバコ位置に最短のカメラ位置が検索される（Ｃ４）。そして、検索された監視カメラ７に対して作動指令信号が出力されることによって、監視カメラ７による撮影が所定時間にわたって行われる（Ｃ５）。これにより、タバコ１およびタバコ１の投げ捨て行為等を行った携帯者１０を撮影することができる。この後、監視カメラ７から送信された映像信号に含まれる映像データが撮影日時と共に映像テーブルに格納される（Ｃ６）。そして、本ルーチンが終了される。
【００４２】
（本実施形態の概要）
以上のように、本実施形態の携帯品（タバコ１）は、図１に示すように、加速度を検出する加速度検出手段（加速度センサー３６）と、少なくとも携帯者１０に報知可能（直接報知、携帯電話等による間接報知の何れでもよい）な報知信号（音、光、電波等）を出力する信号出力手段（スピーカ３４、駆動部３５、アンテナ３２等）と、前記加速度検出手段で検出された加速度が所定値以上であるか否かを判定し、前記加速度が所定値以上の場合、前記信号出力手段から前記報知信号を出力させる制御手段（制御部３１等）とを有する。
【００４３】
上記の構成によれば、携帯者１０が意識的や無意識的に携帯品を離して落下させると、携帯品が地面や床に衝突して停止する。従って、この場合の携帯品においては、急激な減速により大きな加速度、即ち、衝撃が発生することになる。携帯品の加速度は、加速度検出手段により検出され、制御手段において、加速度が所定値以上の衝撃であるか否かが判定される。所定値以上の加速度である場合には、信号出力手段から報知信号が出力されることによって、携帯品を携帯していた携帯者１０に報知されることになる。これにより、例えば、携帯品がタバコ１等の使用後に不要となる携帯品の場合、使用後に携帯者１０が投げ捨てる等した行為に対してマナー違反である旨の注意を喚起することができる。また、例えば、携帯品が財布等の紛失しては困るものの場合には、携帯者１０に対して携帯品を落としたことを気付かせることができる。
【００４４】
また、携帯品は、フィルター１ｂ付きのタバコ１であり、前記信号出力手段は、前記報知信号として音声を出力し、前記加速度検出手段、信号出力手段、および制御手段は、フィルター１ｂ部分に設けられている。
【００４５】
上記の構成によれば、タバコ１を吸い終わった喫煙者がタバコ１を投げ捨てた場合、タバコ１から発せられる音声によりマナー違反である旨の注意を喚起することができる。
【００４６】
また、携帯品における前記信号出力手段は、前記報知信号の一種として電波を出力可能な変復調回路３８およびアンテナ３２を含む。
【００４７】
上記の構成によれば、電波の報知信号が出力されることによって、音よりも広い範囲において設置された受信機（中継装置６）により報知信号を受信させることが可能になる。これにより、受信機の設置場所を中心とした広い範囲にわたって、タバコ１等の携帯物の意識的や無意識的な落下を監視することが可能になる。
【００４８】
また、サーバ９は、上記の携帯品から出力された電波の報知信号を受信する受信部と、前記受信部で受信された報知信号の出力位置を特定する制御部とを備えている。
【００４９】
上記の構成によれば、タバコ１等の携帯物が意識的や無意識的に落下した位置を遠方に設置されたサーバ９により特定して管理することが可能になることから、例えば、清掃員や警備員等の係員５に対して清掃や注意等の指示を効率良く指令することが可能になる。
【００５０】
また、サーバ９は、所定の監視領域に存在する複数の携帯電話４の位置情報と連絡先情報（メール番号等）とを記憶した記憶部と、前記携帯電話４に対して少なくとも注意情報を送信する送信部と、前記報知信号の出力位置と前記携帯電話４の位置情報とに基づいて、連絡先となる前記携帯電話４を選択し、該携帯電話４に対して前記連絡先情報に基づいて前記注意情報を送信する送信制御部とを備えている。
【００５１】
上記の構成によれば、タバコ１等の携帯物が意識的や無意識的に落下した位置を遠方に設置されたサーバ９により特定して管理することが可能になることから、例えば、清掃員や警備員等の係員５に対して清掃や注意等の指示を効率良く出すことが可能になる。
【００５２】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【００５３】
【図１】本実施の形態の落下監視システムの説明図。
【図２】ＩＣタグのブロック図。
【図３】注意基板のブロック図。
【図４】係員連絡先テーブルの説明図。
【図５】映像テーブルの説明図。
【図６】第１注意ルーチンのフローチャート。
【図７】第２注意ルーチンのフローチャート。
【図８】監視ルーチンのフローチャート。
【符号の説明】
【００５４】
１  タバコ
２  箱体
３  ＩＣタグ
４  携帯電話
５  係員
６  中継装置
７  監視カメラ
８  通信網
９  サーバ
１０  携帯者
３１  制御部
３２  アンテナ
３４  スピーカ
３５  駆動部
３６  加速度センサー
【図１】
2009187437.tif 000003
【図２】
2009187437.tif 000004
【図３】
2009187437.tif 000005
【図４】
2009187437.tif 000006
【図５】
2009187437.tif 000007
【図６】
2009187437.tif 000008
【図７】
2009187437.tif 000009
【図８】
2009187437.tif 000010